(57)【特許請求の範囲】
【請求項１】
ゴミ袋（Ｇ）を収容する上端が閉じられる筒状ネット本体（１０）と、そのネット本体（１０）の下端全周に設けた環状紐部材（２０）と、その紐部材（２０）の環状一部が重ねて移動可能に通された絞り具（３１、３２、３３）と、その絞り具から引き出された紐部材（２０）の端に設けた絞り具からの紐部材（２０）の抜け止め用留め具（２４）と、からなり、前記紐部材（２０）は前記絞り具を介して引き締めることによって前記ネット本体（１０）の環状下端部を縮径し、前記絞り具と紐部材（２０）との間の摩擦抵抗は、縮径した紐部材（２０）が拡径することを阻止すると共に、ネット本体（１０）を持ち上げると、前記収容したゴミ袋（Ｇ）の重さによって紐部材（２０）の拡径を許容してゴミ袋（Ｇ）をネット本体（１０）の下端開口から通り抜けさせるように設定されていることを特徴とする鳥獣除け用ゴミネット。
【請求項２】
上記絞り具が扁平状部材（３２）からなって、その扁平状部材（３２）の表裏面に貫通する孔（３２ａ）に上記紐部材（２０）の環状一部が重ねて通されており、
下端部の縮径したネット本体（１０）内にゴミ袋（Ｇ）が収容されてそのゴミ袋（Ｇ）によって前記扁平状部材（３２）が扁平状に押さえられることを特徴とする請求項１に記載の鳥獣除け用ゴミネット。
【請求項３】
上記ネット本体（１０）の下端全周にネット本体（１０）で筒（１７）が形成され、その筒（１７）内の全周に上記環状紐部材（２０）が設けられており、
上記絞り具がネット本体（１０）の上記筒（１７）内に設けた筒状部材（３３）からなって、その筒状部材（３３）は、その両端から上記紐部材（２０）の端がそれぞれ導かれてその筒状部材（３３）の中程の孔（３３ｃ）から上記重ねて引き出されており、下端部の縮径したネット本体（１０）内にゴミ袋（Ｇ）が収容されてそのゴミ袋（Ｇ）によって前記筒状部材（３３）が押さえられることを特徴とする請求項１に記載の鳥獣除け用ゴミネット。
【請求項４】
上記ネット本体（１０）の上端全周にネット本体（１０）で筒が形成され、その筒内の全周に環状紐部材（２２）が設けられて、その紐部材（２２）を引き締めることによって上端が閉じられる請求項１乃至３の何れか一つに記載の鳥獣除け用ゴミネットにおいて、
上記ネット本体（１０）の上記筒内に筒状部材（３３）が設けられ、その筒状部材（３３）の両端から前記ネット本体（１０）の上端環状紐部材（２２）の端がそれぞれ導かれてその筒状部材（３３）の中程の孔（３３ｃ）から引き出され、その引き出された紐部材（２２）の端が重ねられてコードアジャスタ（２１）に通されていることを特徴とする鳥獣除け用ゴミネット。
【請求項５】
ゴミ袋（Ｇ）を収容する上端が閉じられる筒状ネット本体（１０）と、そのネット本体（１０）の下端全周に設けた両端開放の円環状紐部材（２０）と、その紐部材の端に設けた抜け止め用留め具（２４）と、からなる鳥獣除け用ゴミネットによるゴミ袋の収納方法であって、
前記紐部材（２０）の両端を引き締めた括り（２５）によって前記ネット本体（１０）の環状下端部を縮径するとともに、その括り（２５）を前記紐部材（２０）の一端に対し他端を巻き付けたのみとし、前記下端部の縮径したネット本体（１０）内にゴミ袋（Ｇ）を収容してそのゴミ袋（Ｇ）によって前記括り（２５）を押さえ、ネット本体（１０）を持ち上げると、前記収容したゴミ袋（Ｇ）の重さによって、前記括り（２５）は紐部材（２０）の拡径を許容してゴミ袋（Ｇ）をネット本体（１０）の下端開口から通り抜けさせることを特徴とする鳥獣除け用ゴミネットによるゴミ袋の収納方法。
【発明の詳細な説明】
【技術分野】
【０００１】
この発明は、カラス、猫、犬等の鳥獣が、生ゴミ等の家庭ゴミを収容した袋を荒らす（食い散らかす）ことを防止するための鳥獣除け用ゴミネットに関するものである。
【背景技術】
【０００２】
生ゴミ等の家庭ゴミを収容した袋（ゴミ袋）は道路等に各家庭毎に置いたり、数軒分のゴミ袋を集めて置いたりされ、そのゴミ袋を収集車が集めるのが一般的である。このとき、各家庭から出されたゴミ袋が道路脇に置かれた時と収集車によって集められる時間には開きがあるため、少なくとも数時間は、ゴミ袋は道路脇に置かれた状態となる。
このため、そのようなゴミ袋は、特に生ゴミが入っていると、カラスや猫及び犬等の鳥獣の食料（食欲）の的となり、食い散らかされる（食い荒らされる）場合が多い。
【０００３】
その食い散らかされることを防ぐ手段として、従来から、種々の鳥獣除け用ゴミネットが考案されている。その数軒分のゴミ袋を集めたものの最も一般的なゴミネットとして、集めたゴミ袋全体を覆う四角状ネットとし、その四隅を紐で電柱等に括り付けたり、石やブロック等の重りをネット周縁に適宜間隔に設けたりしたものがある（特許文献１図１参照）。
また、筒状のゴミネットをフェンス等に吊り下げ、その上端開口からゴミ袋をゴミネット内に入れ、そのゴミネットを上方に持ち上げることによってゴミ袋をゴミネットから取り出すものもある（特許文献２図１〜図４参照）。このとき、筒状ゴミネットの下端全周にゴム紐を設け、ゴミネットを持ち上げると、そのゴム紐が拡径してゴミ袋を取り出し得るようにしたものもある（特許文献３、実施例１、２、図６参照）
さらに、筒状のゴミネットの上端を括り、そのゴミネットの下端全周に金属性チェーンを設け、このゴミネットをゴミ袋に被せた際、前記チェーンによってカラス等の鳥獣の食い散らかし（悪戯）を防止するとともに風による飛散防止を図ったものもある（特許文献４段落０００５〜０００６、図１）
また、筒状のゴミネットの上端を括り、そのゴミネットの下端全周にトラップ部を形成し、そのトラップ部でもって鳥獣がゴミネット内のゴミ袋に悪戯をすることを防止した物もある（特許文献５要約、図１〜図４）。
【先行技術文献】
【特許文献】
【０００４】
【特許文献１】実開平０６−１６３０７号公報
【特許文献２】実用新案登録第３０６９６１７号公報
【特許文献３】実用新案登録第３１０４０８５号公報
【特許文献４】特開２０１０−１５９１６３号公報
【特許文献５】特開２０１３−９５５４３号公報
【特許文献６】特開２００５−５８５８３号公報
【発明の概要】
【発明が解決しようとする課題】
【０００５】
上記各従来の鳥獣除け用ゴミネットは、それなりに鳥獣除けとしては有効であるが、特許文献１の四角状ゴミネットは複数のゴミ袋上に旨く被せることができない上に、周縁に石等の重りを設置することが面倒である。また、ゴミ袋の収集後、開いた状態で放置されている場合が多く、美観上、見苦しいものとなっている。
特許文献２〜４のゴミネットは、持ち上げるだけで、ゴミ袋を取り出し得るため、その取り出し作用が円滑である。しかし、特許文献２、４のゴミネットは、下端縁が地面に位置するため、その下端縁をカラスや猫が持ち上げてゴミ袋を引っ張り出したりする恐れがあるとともに、多くのゴミ袋を入れると、その下端縁からゴミ袋が飛び出す恐れがある。特許文献３のゴミネットはゴム紐を用いているため、その耐久性に問題があるとともに、ネット下端部の開口度合いの調整ができない。
特許文献５のゴミネットは、トラップ部を有することによって、カラスや猫がゴミ袋を引き出す恐れは極めて少ない。しかし、ゴミネットの下端が常時絞られている（縮径している）ため、ゴミ袋をゴミネット内に収容し難く、その上、嵩張り易く、また、収集時、トラップ部の内周開口からゴミ袋を取り出したり、上端の括りを解いてその上端開口からゴミ袋を取り出したりしなければならす、その作用が煩雑である。
【０００６】
この発明は、以上の実状の下、カラス等の鳥獣によるゴミ袋の引き出しを極力なくすと共に、ゴミ袋の取り出しを容易にすることを課題とする。
【課題を解決するための手段】
【０００７】
上記課題を達成するため、この発明は、まず、ゴミ袋を収容する筒状のネット本体の下端を絞って、その絞られたネット本体の下端径がネット本体の径より小さくなるようにしたのである。このようにすることにより、筒状ネットを地面に置いた際、ネット本体の下端周縁が内側に入り込んで特許文献５のトラップ部を形成するとともに、その絞り部分はそのトラップ部の近傍に位置する。このため、このゴミネットにゴミ袋が収容されると、ゴミ袋が前記トラップ部に載置され得ることとなって、カラス等の鳥獣がそのゴミ袋を引き出そうとすると、トラップ部を持ち上げなければならず、カラス等はそのトラップ部が自身に覆い被さるため、危険を感じてゴミ袋の引き出しを止める。すなわち、カラス等がゴミ袋を引き出し難くなる。このとき、絞り部分もゴミ袋が載って押さえつけるため、その絞り部分の解除への抵抗が増し、カラス等の力ではネット本体下端が拡径し難い。
つぎに、この発明は、ゴム紐以外の手段によって、ネット本体を持ち上げた際、ネット本体の下端開口が拡径して内部のゴミ袋が自然に抜け出るようにしたのである。ネット本体の持ち上げ作用によってゴミ袋を自然に取り出し得ればその作業が円滑である。  
【０００８】
この発明の一構成としては、ゴミ袋を収容する上端が閉じられる筒状ネット本体と、そのネット本体の下端全周に設けた環状紐部材と、その紐部材の環状一部が重ねて移動可能に通された絞り具と、その絞り具から引き出された紐部材の端に設けた抜け止め用留め具と、からなり、前記紐部材は前記絞り具を介して引き締めることによって前記ネット本体の環状下端部を縮径し、前記絞り具と紐部材との間の摩擦抵抗は、縮径した紐部材が拡径することを阻止すると共に、ネット本体を持ち上げると、前記収容したゴミ袋の重さによって紐部材の拡径を許容してゴミ袋をネット本体の下端開口から通り抜けさせるように設定されている構成を採用することができる。
【０００９】
この構成のゴミネットは、絞り具により環状紐部材を縮径してネット本体の下端を絞ると、その絞られたネット本体の下端径はネット本体の径より小さくなる。このため、この筒状ネットを地面に置くと、ネット本体の下端周縁が内側に入り込んでトラップ部を形成する。この状態で、このゴミネットにゴミ袋を収容すると、ゴミ袋はそのトラップ部にも載置されるとともに絞り具にも載って押し付ける（ゴミ袋の重みによって紐部材の拡径はロックされる）。このため、ネット本体の下端は容易に拡径せず、カラス等によるゴミ袋の引き出しを有効に阻止する。
一方、このゴミネットを持ち上げると、ゴミ袋も少なからず持ち上げられるため、絞り具へのゴミ袋の押し付けも軽減され、その軽減に伴って、絞り具と紐部材との間の摩擦抵抗も低くなって紐部材が絞り具に移動可能に通されているため、絞り具に対し紐部材の重ね部分も環状側に移動してネット本体の下端開口が拡径して内部のゴミ袋が自然に抜け出る。絞り具と紐部材との間の摩擦抵抗は、絞り具と紐部材の材質や表面摩擦度合い等を実験等によって適宜に設定して前記作用をなし得るようにする。
【００１０】
上記絞り具は、筒状体等が考えられるが、例えば、扁平状部材とし、その扁平状部材に紐部材の重なり部が通されており、下端部の縮径したネット本体内にゴミ袋が収容されてそのゴミ袋によって前記絞り具が扁平状に押さえられるようにすることができる。
このような絞り具は、扁平状であることから、その扁平面が地面に沿ってゴミ袋により扁平状に押し付けられるため、紐部材がキンクして上記摩擦抵抗がすこぶる高くなってネット本体の環状下端部がほぼ拡径しない。このため、上記トラップ部を確実に形成し得るとともにそのトラップ部が無くなることもなく、カラス等によるゴミ袋の引き出しを確実になくすことができる。一方、ネット本体を持ち上げると、前記キンクは解消されてネット本体の環状下端部の拡径は許容されるため、その下端開口からゴミ袋がその重みで円滑に通り抜ける（図４参照）。
【００１１】
また、その絞り具はネット本体の下端に設けた筒状部材からなって、その筒状部材の両端から上記紐部材の端がそれぞれ導かれてその筒状部材の中程の孔から引き出されており、下端部の縮径したネット本体内にゴミ袋が収容されてそのゴミ袋によって前記筒状部材が押さえられるようにすることができる。
このような絞り具（筒状部材）は、筒状であることから、紐部材を円滑に絞ることができる反面、孔縁との紐部材の有効な摩擦によってネット本体の環状下端部がほぼ拡径しない。このため、上記トラップ部を確実に形成し得るとともにそのトラップ部が無くなることもなく、カラス等によるゴミ袋の引き出しを確実になくすことができる（図８参照）。また、ネット本体の下端に筒状部材を設けてあるため、紐部材の絞り又は引き出し時にその下端が損傷することを防止することができる。
【００１２】
さらに、この発明の他の構成としては、ゴミ袋を収容する上端が閉じられる筒状ネット本体と、そのネット本体の下端全周に設けた両端開放の円環状紐部材と、その紐部材の端に設けた抜け止め用留め具と、からなり、前記紐部材はその両端を引き締めた括りによって前記ネット本体の環状下端部を縮径するとともに、その括りを前記紐部材の一端に対し他端を巻き付けたのみとした構成を採用することができる。
この構成のゴミネットは、括りにより環状紐部材を縮径してネット本体の下端を引き締めると、ネット本体の下端径はネット本体の径より小さくなるため、この筒状ネットを地面に置くと、上記と同様に、ネット本体の下端周縁が内側に入り込んでトラップ部を形成するとともに、その括りはそのトラップ部の近傍に位置する。この状態で、このゴミネットにゴミ袋を収容すると、ゴミ袋はそのトラップ部にも載置されるとともに括りにも載って押し付ける。このため、ネット本体の下端は容易に拡径せず、カラス等によるゴミ袋の引き出しを有効に阻止する。
一方、このゴミネットを持ち上げると、ゴミ袋も少なからず持ち上げられるため、括りへのゴミ袋の押し付けも軽減され、その軽減に伴って、紐部材の一端に対し他端を巻き付けたのみの括りは、両端の間の摩擦抵抗も低くなって（殆どなくなって）、紐部材の一端が巻き付いた他端に対し移動し、ネット本体の下端開口が拡径して内部のゴミ袋がその重みで自然に抜け出る。
【００１３】
上記ネット本体の上端は、特許文献４の図１，図２、特許文献５の図１に示すように、その上端全周に環状紐部材を設けて、その紐部材によって縮径する等の手段を採用することができるが、例えば、ネット本体上端に筒状部材が設けられて、その筒状部材の両端からネット本体の上端環状紐部材の端がそれぞれ導かれてその筒状部材の中程の孔から引き出され、その引き出された紐部材の端が重ねられてコードアジャスタに通された構成とすることができる。
この構成とすれば、筒状部材によって紐部材が案内されるため、ネット本体上端の紐部材の引き出し部の保護及びその拡縮径作用が円滑に行うことができるとともに、縮径した状態をコードアジャスタによって確実に維持することができる。
【発明の効果】
【００１４】
この発明は、以上のように構成したので、カラス等の鳥獣によるゴミ袋の引き出しを極力なくすと共に、ゴミ袋の取り出しが容易なゴミ袋用ネットを得ることができる。
【図面の簡単な説明】
【００１５】
【図１】この発明に係る鳥獣除け用ゴミネットの一実施形態の斜視図
【図２】同実施形態の作用図
【図３】同他の実施形態の斜視図
【図４】同実施形態の作用図
【図５】さらに同他の実施形態の斜視図
【図６】同実施形態の上部の各例の拡大斜視図
【図７】同実施形態の上部の要部斜視図
【図８】同実施形態の作用図
【図９】さらに同他の実施形態の斜視図
【図１０】さらに同他の実施形態の斜視図
【図１１】同実施形態の要部拡大断面図
【発明を実施するための形態】
【００１６】
この発明に係る鳥獣除け用ゴミネットの一実施形態を図１、図２に示し、この実施形態のゴミネットＰ１は、筒状のネット本体１０と、そのネット本体１０の下端の下端全周に設けられた引き締め用紐部材２０と、ネット本体１０の上端を結束して閉じた吊環１３を有する紐からなる結束具１２と、その結束具１２の吊環１３から延びる吊り紐１４とから成る。
【００１７】
ネット本体１０は、ポリエチレン、ポリエステル等の青色又は黄色等のプラスチック糸で編んだものであり、その網目は適宜に設定すれば良いが、例えば４〜６ｍｍ角等とする。また、その筒状も円筒状のみならず、角筒状や円錐台筒状等とゴミ袋Ｇを収容できれば、その形状は任意である。また、その大きさは、４５リットルのゴミ袋Ｇが少なくとも一つ収容できれば良く、そのゴミ袋Ｇの収容数に合わせて適宜に設定するが、４５リットルのゴミ袋Ｇが３個程度収容できる大きさが好ましい。４５リットルのゴミ袋Ｇの一個用であれば、ネット本体１０の径は５５０ｍｍ程度、同２個用であれば、同１１００ｍｍ程度とする。また、高さは、前者：７００ｍｍ、後者：８００ｍｍ程度とする。
【００１８】
紐部材２０は、例えば、図１１に示すように、ネット本体１０を丸く摘んだり、下端を折り返したりして縫合１５してリング状の筒１７を形成し、その筒１７に通してネット本体１０に取り付ける。
結束具１２は適宜の紐で構成し、吊環１３、吊り紐１４も同様に適宜なプラスチック等の材料からなるものとする。結束具１２の高さ（結束長さ）は例えば、１００ｃｍ程度とする。
【００１９】
上記紐部材２０は、４〜５ｍｍ径の耐候性のある丈夫な非伸縮性の素材、例えば、ナイロン、ポリエステル等のプラスチック紐とし、その紐部材２０の両開放端を同じくプラスチック製の絞り具となる筒状留め環３１に通し、その端にプラスチック製留め具２４を固着したものである。留め具２４は紐部材２０が留め環３１及び紐通し筒１７から抜け出ることを防止する。留め具２４及び留め環３１はプラスチック以外に、木製、金属製等の種々の材料を選択し得る。
留め環３１によるネット本体１０の絞り円環径は、図１、図２に示すように、このゴミネットＰ１を地面等においた際、引き締めた（絞った）紐部材２０までネット本体１０が内側に折れ曲がってトラップ部１０ａが形成されて、図２に示すように、ゴミ袋Ｇを収容した際、そのトラップ部１０ａにゴミ袋Ｇが載り、かつ、下記カラス等による悪戯がされない程度を実験などによって適宜に決定する。例えば、ネット本体１０の径：５５０ｍｍ程度であれば、絞り円環径は３５０ｍｍ程度又はゴミ袋Ｇの径の１／３程度とする。
【００２０】
この実施形態の鳥獣除け用ゴミネットＰ１は以上の構成であり、今、ゴミ袋Ｇが地面等に置かれている状態において、紐部材２０を拡げて（拡径して）このゴミネットＰ１をそのゴミ袋Ｇに被せる。この状態で、紐部材２０を絞めると、図１の実線状態から鎖線状態に示すように、ネット本体１０の下端部が絞られ、ゴミ袋Ｇを押し上げながら、その絞られた下端部が内側に折れてトラップ部１０ａが形成される。この状態は、トラップ部１０ａにゴミ袋Ｇの一部が載った状態となる。
このとき、必要であれば、吊り紐１４を電柱やフェンス等に括り付けて、風などによってゴミネットＰ１（ゴミ袋Ｇ）が動かないようにする。
このゴミネットＰ１は、紐部材２０を絞って設置した状態で、結束具１２を解いてネット本体１０の上面開口からゴミ袋Ｇをネット本体１０内に入れることもできる。この場合、ゴミ袋Ｇを入れた後、結束具１２は結び直す。
【００２１】
この状態において、カラス等の鳥獣がそのゴミ袋Ｇを引き出そうとすると、トラップ部１０ａを持ち上げなければならず、カラス等はそのトラップ部１０ａが自身に覆い被さるため、危険を感じてゴミ袋Ｇの引き出しを止める。すなわち、カラス等がゴミ袋を引き出し難くなる。このため、ゴミ袋Ｇが引き出されて食い散らされることがない。
一方、ゴミ袋Ｇの収集時には、図２の実線から鎖線に示すように、ゴミネットＰ１を持ち（引き）上げると、ゴミ袋Ｇはその重さによって地面上に留まるが、留め環３１等の押し付け力が軽減され、ゴミネットＰ１は、紐部材２０と留め環３１との摩擦力に抗して紐部材２０を留め環３１から引き出し拡径し（図２の実線から鎖線状態）、その開口をゴミ袋Ｇがその重みで通り抜ける。このため、ゴミ袋ＧがゴミネットＰ１から抜け出て、そのゴミ袋Ｇを収集車に放り込む。
【００２２】
このゴミネットＰ１おいて、留め環３１からなる絞り具を扁平状部材３２で構成した実施形態を図３、図４に示す。この実施形態のゴミネットＰ２は、円板状扁平状部材３２の中央の孔３２ａに紐部材２０の両開放端を通して紐部材２０を引き締めることによってネット本体１０の環状下端部を縮径してトラップ部１０ａを形成する。このため、上記ゴミネットＰ１と同様に、ゴミ袋Ｇを収容すると、図４に示すように、そのゴミ袋Ｇによって扁平状部材３２が扁平状に押さえられる。
この状態は、紐部材２０がキンクして（折れ曲がって）上記摩擦抵抗がすこぶる高くなってネット本体１０の環状下端部がほぼ拡径しない。このため、上記トラップ部１０ａを確実に形成し得るとともにそのトラップ部１０ａが無くなることもなく、カラス等によるゴミ袋Ｇの引き出しを確実になくすことができる。
一方、ネット本体１０を持ち上げると、図４鎖線で示すように、前記キンクはほぼ解消されて扁平状部材３２を紐部材２０が通り易くなってネット本体１０の環状下端部の拡径は許容されるため、その下端部開口からゴミ袋Ｇが円滑に通り抜ける。このため、ゴミ袋Ｇがその重みでネットＰ２から抜け出て、そのゴミ袋Ｇを収集車に放り込む。
【００２３】
このゴミネットＰ２において、絞り具を筒状部材３３で構成した実施形態を図５〜図８に示す。この筒状部材３３は、平面視、Ｙ字状を呈して扁平状部材をなし、その両端の筒部３３ａ、３３ａがネット本体１０下端の筒１７内に嵌め込まれている。その筒部３３ａの嵌め込み部は紐の括り付け等によってネット本体１０下端部に強固に取り付ける（結束する）。
紐部材２０の端は、その両端筒部３３ａ、３３ａ内にそれぞれ導かれて中程の筒部３３ｂの開口（孔）３３ｃから引き出されて、その端に留め具２４を固着している。
【００２４】
この実施形態のゴミネットＰ３の上端も、下端と同様に、リング状の筒に紐部材２２が通され、その端も、同様に、筒状部材３３に通して引き出されている。筒状部材３３も同様に嵌め込み部は紐の括り付け等によってネット本体１０上端部に強固に取り付ける。紐部材２２の引き出し端は、コードアジャスタ２１を介して吊り紐１４に接続され、吊り紐１４には吊り下げ用なす環１８を設けたり（図５〜図７参照）、留め具２４を設けたりする（図８参照）。コードアジャスタは、パーツを親指と人差し指で挟みバネ２１ａに抗して押すと、紐部材２２の移動が自由になり、挟んだ指をゆるめると、バネ２１ａの付勢力で紐部材２２が固定される周知のものである（図７、特許文献６参照）。
筒状部材３３は、図６（ｂ）に示すように、中程の筒部３３ｂを削除した弧状のもの３３’とすることができる。この筒状部材３３’は、ネット本体１０の上下端の何れに採用しても良いが、上端とすることが好ましい。
【００２５】
この実施形態の鳥獣除け用ゴミネットＰ３は以上の構成であり、今、図５の実線状態から鎖線状態に示すように、紐部材２０を絞り、その状態において、同図実線で示す、上端開口状態において、その開口からゴミ袋ＧをこのゴミネットＰ３内に収容する。このとき、図示鎖線のように、筒状部材３３を反転させることにより、紐部材２０はその端（留め具２４）が環状の内側に位置し、その状態で、ゴミ袋Ｇがそれらの上に重なるため、紐部材２０と筒状部材３３等との摩擦力が大きくなって、紐部材２０がより強くロックされる（拡径が阻止される）。
この後、同図鎖線で示すように、ネット本体１０の上端部を紐部材２２を絞って縮径し、コードアジャスタ２１でその縮径状態を維持する。
以上の紐部材２０、２２の絞り時、筒状部材３３、３３’で紐部材が案内されるため、その絞り作用が円滑であるとともに、ネット本体１０の上下端の筒１７のその紐部材の引き出し端の損傷が防止される。このゴミネットＰ３は、ネット本体１０の上端を閉じた状態で、ゴミ袋Ｇに被せ、その後、ネット本体１０の下端を絞るようにすることもできる。
【００２６】
このゴミネットＰ３によるゴミ袋Ｇの収容状態は、ネット本体１０の環状下端部がほぼ拡径しないため、上記トラップ部１０ａが無くなることもなく、カラス等によるゴミ袋Ｇの引き出しを確実になくすことができる。
一方、ネット本体１０を持ち上げると、図８鎖線で示すように、その引き上げ力及びゴミ袋Ｇの押し付け力の軽減によって、筒状部材３３内を紐部材２０が移動しながら引き上げられて、ネット本体１０の環状下端部の拡径は許容されるため、その下端部開口からゴミ袋Ｇがその重みで円滑に通り抜ける。このため、ゴミ袋ＧがゴミネットＰ３から抜け出て、そのゴミ袋Ｇを収集車に放り込む。
【００２７】
さらに、他の実施形態の鳥獣除け用ゴミネットＰ４を図９に示し、このゴミネットＰ４は、上記鳥獣除け用ゴミネットＰ１〜Ｐ３において、留め環３１（筒状部材３３、３３’）に代えて、紐部材２０の結び方（括り方）によって、ゴミネットＰ４の下端の縮径維持と持ち上げ時の拡径作用を行うようにしたものである。
その紐部材２０の結び方は、紐部材２０の一端に対し他端を巻き付けたのみとしてその作用が行われれば、何れでも良いが、例えば、図９に示す一結び２５とする。
【００２８】
このゴミネットＰ４は、上記と同様に、ゴミ袋Ｇが置かれている状態において、ゴミネットＰ４の下端を拡径した状態で、このゴミネットＰ４をそのゴミ袋Ｇに被せ、その後、紐部材２０を絞ると、図９鎖線に示すように、その絞られたネット本体１０の下端部が内側に折れてトラップ部１０ａが形成される。このとき、その紐部材２０の両開放端を、図９鎖線に示す一結び２５とし、この一結び２５によって、紐部材２０と結び目との摩擦によってその縮径（絞り）状態は維持される。一結び２５で縮径状態が維持できなければ、さらに一巻きや二巻き等する。
このトラップ部１０ａが形成された状態は、上記ゴミネットＰ１〜Ｐ３と同一の作用によって、ゴミ袋Ｇの収容と取り出し及びカラス等の食い散らかしを防止する。
一方、ゴミ袋Ｇの収集時には、ゴミネットＰ４を持ち（引き）上げると、ゴミ袋Ｇはその重さによって地面上に留まるとともに少なからず押さえ力が軽減され、その軽減に伴って、紐部材２０の一端に対し他端を巻き付けたのみの括り２５は、両端の間の摩擦抵抗も低くなって、紐部材２０の一端が巻き付いた他端に対し移動し、ネット本体１０の下端開口が拡径して（図９の鎖線から実線状態）、その開口をゴミ袋Ｇがその重みで通り抜ける。このため、ゴミ袋ＧがゴミネットＰ４から抜け出て、そのゴミ袋Ｇを収集車に放り込む。
このゴミネットＰ４は、紐部材２０を絞って設置した状態で、結束具１２を解いてネット本体１０の上面開口からゴミ袋Ｇをネット本体１０内に入れることもできる。
【００２９】
上記各実施形態において、ゴミ袋Ｇは、生ゴミ専用とし得る。生ゴミがカラス等に食い散らかされ易いからである。ゴミネットＰ１、Ｐ２、Ｐ４においても、ゴミネットＰ３の上端部の構成（図６）としたり、留め具２４及び留め環３１、扁平状部材３２、括り２５は、図５鎖線で示すように円環状紐部材２０の内側としたりすることができる（図２、図４参照）。このように内側とすると、その留め環３１等にもゴミ袋Ｇが確実に載って押さえるため、紐部材２０の絞り状態が確実に維持される。
また、留め具２４に代えて紐部材２０の各開放端を結んだ凸部としたり、両開放端を適宜に結んだりしても良い。
【００３０】
さらに、ゴミネットＰ１〜Ｐ４において、特許文献５に記載のように、ネット本体１０の下端の手前の全周に円環状の環状部材を設けることができる。例えば、ゴミネットＰ１においては、図１０、図１１に示すように、ネット本体１０の下端の手前の全周に円環状の環状部材１１を設けたゴミネットＰ５とし得る。環状部材１１は、円環状の太さ：３ｍｍ径以上の針金からなって、ネット本体１０と同径か又は少し大径とし、この環状部材１１によって、このゴミネットＰ１を地面等に設置した際、そのネットの設置エリアが決定される。この環状部材１１は、針金以外に、プラスチック等の適宜な材料を使用し得る。この環状部材１１は上下適宜間隔の複数段に設けることができる。また、環状部材１１は、紐部材２０、２２と同様に、図１１に示すように、ネット本体１０を丸く摘んだりして縫合１５してリング状の筒１６を形成し、その筒１６に通してネット本体１０に取り付ける。この環状部材１１があると、トラップ部１０ａが形成され易い。この環状部材１１に代えて、ある程度の円状の保型性があり、かつ可撓性のある物、例えば、鎖や特許文献４に示す重り部材を使用することもできる。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００３１】
Ｐ１、Ｐ２、Ｐ３、Ｐ４、Ｐ５  鳥獣除け用ゴミネット
１０  ネット本体
１０ａ  トラップ部
１１  環状部材
１２  結束具
１３  吊環
１４  吊り紐
１５  縫合部
１６、１７  紐部材の通し筒
２０  ネット本体下端の紐部材
２１  コードアジャスタ
２２  ネット本体上端の紐部材
２４  留め具
２５  一結び（括り）
３１  絞り具（留め環）
３２  絞り具（扁平状部材）
３３  絞り具（筒状部材）
３３ａ、３３ｂ  筒状部材の筒部
３３ｃ  筒状部材の中程孔
【要約】
【課題】カラス、猫、犬等の鳥獣によるゴミ袋の引き出しを極力なくすと共に、ゴミ袋の取り出しを容易にする。
【解決手段】筒状ネット本体１０の下端に引き締め用紐部材２０を設けた鳥獣除け用ゴミネットＰ３である。紐部材２０は筒状部材３３に導かれてその端に留め具２４を設けている。ネット本体下端を縮径した状態でゴミ袋Ｇを収容する（鎖線状態）。この状態は、トラップ部１０ａが形成され、そのトラップ部にゴミ袋の一部が載った状態となる。このため、カラス等がゴミ袋Ｇを引き出そうとすると、トラップ部を持ち上なければならず、危険を感じてゴミ袋Ｇの引き出しを止める。一方、ゴミ袋の収集時、ネットを持ち（引き）上げると、ゴミ袋はその重さによって地面上に留まり、筒状部材３３を通って紐部材は拡径しその開口をゴミ袋Ｇが通り抜ける。このため、ゴミ袋がネットから抜け出て、そのゴミ袋を収集車に放り込む。
【選択図】図５【図１】
0005869167.tif 000002
【図２】
0005869167.tif 000003
【図３】
0005869167.tif 000004
【図４】
0005869167.tif 000005
【図５】
0005869167.tif 000006
【図６】
0005869167.tif 000007
【図７】
0005869167.tif 000008
【図８】
0005869167.tif 000009
【図９】
0005869167.tif 000010
【図１０】
0005869167.tif 000011
【図１１】
0005869167.tif 000012